(57)【特許請求の範囲】
【請求項１】
チャンネル番号−負荷番号の組をアドレスとしてそれぞれ設定した複数台のワイヤレス受信器および制御用端末器を２線式の信号線を介して伝送制御装置に分岐接続し、伝送制御装置は、アドレスデータを含む伝送信号を信号線に時分割多重伝送方式で送出することによってワイヤレス受信器および制御用端末器を個別にアクセスし、伝送信号に同期して設定した信号返送期間にワイヤレス受信器からの操作データを受信すると操作データに基づいて制御データを生成し、操作データを発生したワイヤレス受信器と同じチャンネル番号−負荷番号の組がアドレスとして設定されている制御用端末器に対して制御データを伝送して制御用端末器に接続された負荷を制御する遠隔監視制御システムにおいて、ワイヤレス受信器は、外部信号によりアドレスが書換可能な不揮発性のメモリよりなるアドレス記憶部を備え上記信号線に接続されるとともにワイヤレススイッチからの所定のワイヤレス信号を受信すると操作データを発生するものであり、ワイヤレススイッチは、操作スイッチの操作時にどのワイヤレス受信器にも受信させることができるフォーマットコードのワイヤレス信号を送出してワイヤレス受信器に操作データを発生させて負荷のオン・オフを反転させるものであって、チャンネル番号が等しく負荷番号が異なる複数個のワイヤレス受信器がワイヤレス信号を同時に受信した場合には、同時に受けたワイヤレス信号は無効にし、チャンネル番号が異なる複数個のワイヤレス受信器がワイヤレス信号を同時に受信した場合には、各ワイヤレス受信器と同じチャンネル番号−負荷番号の組がアドレスとして設定されている制御用端末器に接続された負荷のオン・オフをそれぞれ反転させることを特徴とする遠隔監視制御システム。
【発明の詳細な説明】
【０００１】
【産業上の利用分野】
本発明は、光によるワイヤレス信号を用いて負荷を制御するようにした遠隔監視制御システムに関するものである。
【０００２】
【従来の技術】
従来より、ワイヤレス受信器を利用して照明器具等の負荷を制御するようにした遠隔監視制御システムが提案されている。たとえば、図１５に示すように、複数のワイヤレス受信器１０をワイヤレス信号線Ｌｗを通してワイヤレス中継端末器６２に接続し、照明負荷Ｌを制御する制御用端末器６３とワイヤレス中継端末器６２とを２線式の信号線Ｌｓに分岐接続するとともに、この信号線Ｌｓを通してワイヤレス中継端末器６２および制御用端末器６３を伝送制御装置６１に接続した構成のものが提案されている。ワイヤレス受信器１０はワイヤレススイッチ２０からのワイヤレス信号を受信し、受信したデータをワイヤレス中継端末器６２を通して伝送制御装置６１に伝送する。
【０００３】
このような遠隔監視制御システムでは、伝送制御装置６１から図１６（ａ）に示すような形式を有した伝送信号Ｖｓを送出することにより、各端末器６２，６３との間でデータを授受する。すなわち、伝送信号Ｖｓは、信号の送出開始を示すスタートパルスＳＴ、信号のモードを示すモードデータＭＤ、端末器６２，６３を個別に認識するためのアドレスデータＡＤ、照明負荷Ｌへの制御内容を示す制御データＣＤ、伝送誤りを検出するチェックサムデータのようなエラー訂正符号ＣＳ、端末器６２，６３からの返送期間を設定する信号返送期間ＷＴよりなる双極性（±２４Ｖ）の時分割多重信号であり、パルス幅変調によってデータが伝送されるようになっている（図１６（ｂ））。各端末器６２，６３では、信号線Ｌｓを介して受信された伝送信号ＶｓのアドレスデータＡＤに含まれるアドレスがあらかじめ設定されているアドレスと一致したときに、その伝送信号Ｖｓの制御データＣＤを取り込むとともに、伝送信号Ｖｓの信号返送期間ＷＴに同期して監視データを電流モード信号（信号線Ｌｓの線間を適当な低インピーダンスを介して短絡して送出される信号）として返送するようになっている。
【０００４】
一方、伝送制御装置６１には、ダミー信号送信手段と、割込み処理手段とが設けられている。ダミー信号送信手段は、モードデータＭＤをダミーモードとしてアドレスデータＡＤをサイクリックに変えた伝送信号Ｖｓを常時送出する。また、割込み処理手段では、ダミーモードの伝送信号ＶｓのスタートパルスＳＴに同期してワイヤレス中継端末器６２から図１６（ｃ）に示すような割込み信号Ｖｉが発生したときに、ワイヤレス中継端末器６２をアクセスして操作データとともにアドレスデータを監視データとして返送させるようになっている。ここに、ワイヤレススイッチ２０はアドレスデータを含むワイヤレス信号を送出し、ワイヤレス中継端末器６２はワイヤレス受信器１０を介して受け取ったワイヤレススイッチ２０からのアドレスデータを伝送制御装置６１に対して返送する。
【０００５】
伝送制御装置６１では、上述のようにしてワイヤレス中継端末器６２からのアドレスデータを受け取ると、アドレスによる対応関係があらかじめ設定されている制御用端末器６３への制御データＣＤを監視データに基づいて作成し信号線Ｌｓを介して時分割多重伝送する。すなわち、指定された制御用端末器６３に接続されている照明負荷Ｌが制御データＣＤに応じて点灯・消灯する。
【０００６】
以上の動作をまとめると、ワイヤレススイッチ２０はアドレスデータを含むワイヤレス信号を送出し、これを受けたワイヤレス受信器１０はワイヤレス信号線Ｌｗを通してワイヤレス中継端末器６２にデータを伝送する。ワイヤレス中継端末器６２では、ワイヤレス信号線Ｌｗに接続されているいずれかのワイヤレス受信器１０からのデータを受信すると、信号線Ｌｓに割り込み信号Ｖｉを送出し、割込み信号Ｖｉを受信した伝送制御装置６１では伝送信号Ｖｓを送出し、信号返送期間にワイヤレス中継端末器６２から照明負荷Ｌの点灯・消灯に対応するデータと、ワイヤレス信号に含まれていたアドレスデータとを受信する。伝送制御装置６１には受信したアドレスデータに対し制御データＣＤを伝送すべき相手方のアドレスデータが格納されており、このアドレスデータＡＤを含む伝送信号Ｖｓを送出することによって目的の制御用端末器６３に制御データＣＤを伝送して照明負荷Ｌを点灯・消灯させることができる。
【０００７】
【発明が解決しようとする課題】
ところで、上記構成では、所望の照明負荷Ｌを制御するために、制御用端末器６３のアドレスに対応するアドレスデータＡＤを含むワイヤレス信号をワイヤレススイッチ２０から送出するから、ワイヤレススイッチ２０にアドレスを設定することが必要である。すなわち、ワイヤレススイッチ２０は特定の制御用端末器６３との対応関係が設定され、ワイヤレススイッチ２０を壁スイッチなどの代わりに配線不要なスイッチとして用いるようになっているのである。
【０００８】
したがって、複数の照明負荷Ｌについて点灯・消灯を制御する場合であって、図１５に示すように２個の制御用端末器６３を設けているとすれば、各制御用端末器６３ではアドレスが互いに異なるから、ワイヤレススイッチ２０にも異なるアドレスを有した２台のワイヤレススイッチ２０が必要になる。いま、アドレスをチャンネル番号−負荷番号という形式で表し、ワイヤレススイッチと制御用端末器６３とにおいてチャンネル番号−負荷番号の組が同じであるもの同士が対になっているものとすると、アドレス（３−２）のワイヤレススイッチ２０は、アドレス（３−２）の制御用端末器６３に対してのみ制御データＣＤを伝送可能であって、図示されているアドレス（５−２）の制御用端末器６３を制御するには、アドレスを（５−２）とした別のワイヤレススイッチ２０が必要になる。ただし、ワイヤレス受信器１０ではどのワイヤレススイッチ２０からのワイヤレス信号かは識別しないから、図１５（ａ）（ｂ）を見れば分かるように、１台のワイヤレス受信器１０で複数のワイヤレススイッチ２０からのワイヤレス信号を受信することが可能である。
【０００９】
このような構成では、ワイヤレス受信器１０の設置場所にかかわらず、制御用端末器６３と同じチャンネル番号−負荷番号の組に設定されたワイヤレススイッチ２０であれば、どこからでも照明負荷Ｌを制御できることになる。すなわち、照明負荷Ｌの点灯・消灯を確認できない場所から誤って照明負荷Ｌを制御する可能性があるという問題を有している。結局、この従来構成は制御対象となる照明負荷Ｌの点灯・消灯を確認できる範囲内で、各照明負荷Ｌごと（制御用端末器６３ごと）にワイヤレススイッチ２０を配置するような用途に限定して用いられるものである。
【００１０】
これに対して、ビル警備などのために巡回時に近くの照明器具を点灯させるような目的には使用するとすれば、多数台のワイヤレススイッチを携帯することはできないから、１台のワイヤレススイッチで多数の照明負荷を制御することが要求される。
本発明は上述のような要求を満たすことを目的とするものであり、ワイヤレス中継端末器を介さずにワイヤレス受信器を信号線に直接接続できるようにして配線施工を容易にするとともに、ワイヤレススイッチのアドレスを不要にして１台のワイヤレススイッチで複数の制御用端末器を制御できるようにした遠隔監視制御システムを提供しようとするものである。
【００１１】
【課題を解決するための手段】
請求項１の発明は、上記目的を達成するために、チャンネル番号−負荷番号の組をアドレスとしてそれぞれ設定した複数台のワイヤレス受信器および制御用端末器を２線式の信号線を介して伝送制御装置に分岐接続し、伝送制御装置は、アドレスデータを含む伝送信号を信号線に時分割多重伝送方式で送出することによってワイヤレス受信器および制御用端末器を個別にアクセスし、伝送信号に同期して設定した信号返送期間にワイヤレス受信器からの操作データを受信すると操作データに基づいて制御データを生成し、操作データを発生したワイヤレス受信器と同じチャンネル番号−負荷番号の組がアドレスとして設定されている制御用端末器に対して制御データを伝送して制御用端末器に接続された負荷を制御する遠隔監視制御システムにおいて、ワイヤレス受信器は、外部信号によりアドレスが書換可能な不揮発性のメモリよりなるアドレス記憶部を備え上記信号線に接続されるとともにワイヤレススイッチからの所定のワイヤレス信号を受信すると操作データを発生するものであり、ワイヤレススイッチは、操作スイッチの操作時にどのワイヤレス受信器にも受信させることができるフォーマットコードのワイヤレス信号を送出してワイヤレス受信器に操作データを発生させて負荷のオン・オフを反転させるものであって、チャンネル番号が等しく負荷番号が異なる複数個のワイヤレス受信器がワイヤレス信号を同時に受信した場合には、同時に受けたワイヤレス信号は無効にし、チャンネル番号が異なる複数個のワイヤレス受信器がワイヤレス信号を同時に受信した場合には、各ワイヤレス受信器と同じチャンネル番号−負荷番号の組がアドレスとして設定されている制御用端末器に接続された負荷のオン・オフをそれぞれ反転させる構成を採用している。
【００１２】
【作用】
請求項１の発明の構成によれば、外部信号によりアドレスが書換可能な不揮発性のメモリよりなるアドレス記憶部を備え伝送制御装置に接続された信号線に接続されるとともにワイヤレススイッチからの所定のワイヤレス信号を受信すると操作データを発生するワイヤレス受信器と、操作時にどのワイヤレス受信器にも受信させることができるフォーマットコードのワイヤレス信号を送出してワイヤレス受信器に操作データを発生させ負荷のオン・オフを反転させるワイヤレススイッチとを設けているので、ワイヤレス受信器が伝送制御装置に対して信号線を介して接続され、従来構成では必要であったワイヤレス中継端末器が不要になるのであって、当然ながらワイヤレス信号線も不要になり、システムを構成する要素の種類が少なくなって施工が容易になる。また、ワイヤレス受信器と負荷を制御する制御用端末器との間で個別に対応関係を設定することができるから、ワイヤレス受信器を負荷に近い場所に配置するなどすれば、所望の負荷のみを制御することができ、不必要な負荷を不用意に制御してしまうことがないのである。しかも、ワイヤレススイッチにはアドレスがなく、どのワイヤレス受信器に対してもワイヤレス信号を受信させることができるから、１台のワイヤレススイッチで複数の負荷を制御することができるのである。このことはビル警備の巡回中などに通過経路の照明負荷だけを点灯・消灯させるというような用途では非常に便利である。さらに、アドレスを設定する手段をワイヤレススイッチに設ける必要がないから、ワイヤレススイッチをそれだけ小形化することができ、この点でも持ち歩くには便利である。加えて、ワイヤレス受信器のアドレスを格納するアドレス記憶部には、外部信号によってアドレスが書換可能な不揮発性のメモリを用いているから、施工後のアドレスの設定や変更などを外部信号によって容易に行なうことができる。とくに、ワイヤレス受信器の受信領域を広く設定するためにワイヤレス受信器を天井に取り付ける場合でも、アドレスの設定や変更に際して高所作業が不要であり、安全に作業することができるのである。
【００１３】
【実施例】
図５、図６に示すように、ワイヤレス受信器１０は、ホトダイオードなどの受光素子１１ａ（図６参照）を備えた赤外線受光用の受光部１１を備え、受光部１１でワイヤレススイッチ２０からのワイヤレス信号を受信したか否かは信号判断・出力回路１２により判別される。信号判断・出力回路１２では、ワイヤレス信号が所定の形式を満たしているかどうかを判定し、所定形式のワイヤレス信号であれば出力信号を発生する。信号判断・出力回路１２の出力信号は、マイクロコンピュータを主構成とする信号処理回路１３に入力される。信号処理回路１３では、信号判断・出力回路１２からの出力信号を受けると、信号線Ｌｓに接続された端子Ｔを通して信号線Ｌｓに割り込み信号Ｖｉを送出する。伝送制御装置６１は信号線Ｌｓを介して伝送された割り込み信号Ｖｉを受信すると、ワイヤレス受信器１０に対して伝送信号Ｖｓを伝送する。ワイヤレス受信器１０では、アドレス記憶部１４に格納されているアドレスデータと、伝送信号ＶｓのアドレスデータＡＤとが一致すると操作データを作成し、伝送制御装置６１に対して信号返送期間ＷＴに同期して操作データを返送するのである。操作データは、信号線Ｌｓの線路間を低抵抗を介して短絡するか開放するかに応じて電流モードの２値信号として伝送される。
【００１４】
ところで、アドレス記憶部１４には書換可能な不揮発性のメモリ、望ましくはＥＥＰＲＯＭが用いられている。アドレス記憶部１４に格納されるアドレスデータを書き換えるために、ワイヤレススイッチ２０とは別に設けた設定装置との間で赤外線によるワイヤレス信号を授受することができるアドレス設定部１５が設けられる。アドレス設定部１５は、ホトダイオードよりなる受光素子１５ａ、発光ダイオードよりなる発光素子１５ｂ、受光素子１５ａの出力から必要なデータを抽出して信号処理回路１３に入力する受光回路１５ｃ、信号処理回路１３からのデータに基づいて発光素子１５ｂを駆動する発光回路１５ｄを備えている。すなわち、受光素子１５ａおよび発光素子１５ｂは、専用の設定装置との間でワイヤレス信号を授受するのであって、設定装置との間で光通信を行うことによってアドレス記憶部１４の内容を書き換えることができるようにしてある。
【００１５】
信号処理回路１３では、アドレス記憶部１４の内容操作の処理モードとして、少なくとも設定モードと確認モードとが設けられている。受光素子１５ａで受信したワイヤレス信号によって設定モードが指定された場合には、アドレス記憶部１４の内容をワイヤレス信号の内容に従って書き換えた後、設定した内容を発光素子１５ｂを通して設定装置に返すのである。また、受光素子１５ａで受信したワイヤレス信号によって確認モードが指定された場合には、アドレス記憶部１４の設定内容を読み出し、発光素子１５ｂを通して設定装置に返送する。
【００１６】
端子Ｔには電源回路１６が接続されており、電源回路１６では、信号線Ｌｓを伝送される複極の伝送信号Ｖｓを整流、安定化して受光部１１、信号判断・出力回路１２、信号処理回路１３、アドレス設定部１５に給電する。
ワイヤレス受信器１０の具体回路を示すと図６のようになる。受光部１１はフォトダイオードのような受光素子１１ａおよびシュミットトリガのような波形整形回路１１ｂを備え、ワイヤレス信号に応じたパルス列を出力する。また、信号判断・出力回路１２は、専用の集積回路１２ａに、ワイヤレス信号の形式判定を行なうためのフォーマットコードを設定するダイオードマトリクスよりなるコード設定部１２ｂ、電源投入時に集積回路１２ａをリセットするリセット回路１２ｃ、集積回路１２ａのクロック信号を発生させる発振回路１２ｄを外付して構成される。同様に、信号処理回路１３は、専用の集積回路１３ａに、電源投入時に集積回路１３ａをリセットするリセット回路１３ｂ、クロック信号を与えるための発振回路１３ｃを外付して構成される。電源回路１６は信号処理回路１３の一部を兼ね、信号線Ｌｓを伝送される伝送信号を全波整流するとともに信号線Ｌｓへの接続を無極性化するためのダイオードブリッジＤＢを有し、伝送制御装置６１からの伝送信号はトランジスタＱ１  を介して集積回路１３ａに入力し、ダイオーオブリッジＤＢの直流端間に接続されたトランジスタＱ２  のエミッタ−コレクタと抵抗Ｒとの直列回路により伝送制御装置６１に返送する電流モード信号を出力する。
【００１７】
ところで、上述した回路部は、図７から図９に示すような形状のハウジング３０に納装される。ハウジング３０には、回路部を実装した回路基板３１が納装される。ハウジング３０は、上底が閉塞された角筒状のカバー３２の下面開口を円板状のボディ３３で覆い、タッピンねじよりなる組立ねじ３４によりカバー３２とボディ３３とを結合して構成される。カバー３２はボディ３３の中央部に載設されているのであって、ボディ３３の周部はカバー３２の周囲に突出してフランジ３５を形成する。ハウジング３０の上面には端子ねじを有した一対の端子３６（すなわち、端子Ｔ）が露出し、この端子３６にリード線３７を介して回路基板３１が接続される。カバー３２の上面には端子３６の露出部位に平板状の端子カバー３８がカバー固定ねじ３９で着脱自在に固定される。
【００１８】
ボディ３３の中央部は円形の開口窓３３ａが形成され、開口窓３３ａには回路基板３１に実装された受光部１１およびアドレス設定部１５の受光素子１５ａおよび発光素子１５ｂの受光面の前方を覆う形でワイヤレス信号となる近赤外線を選択的に透過させるフィルタ４１が配設される。さらに、フィルタ４１の前方には受光レンズ４２が配置される。受光レンズ４２は図８に示すように、受光部１１の受光素子１１ａに対向する中央部に凹部４２ａを有していて中央部が薄肉に形成され、受光素子１１ａの視野が広くなるようにしてある。また、受光素子１５ａおよび発光素子１５ｂは、図８に示すように、凹部４２ａとは異なる受光レンズ４２の周部に臨むように配置される（図９の一点鎖線で囲んだ部分に臨むように配置される）。ちなみに、受光素子１１ａの視野が、頂角が１７０度程度の円錐領域となるように受光レンズ４２を形成し、ワイヤレス受信器１０を３．５ｍの天井に配置するとすれば、床から１．５ｍ程度の高さ（ワイヤレススイッチ２０を操作する高さはこの程度）付近の視野は直径が約２０ｍになる。
【００１９】
フランジ３５には一対の長孔４３が形成され、各長孔４３を通して引締めねじ４４が挿通されている。この引締めねじ４４の中間部には挟み金具４５が挿通され、引締めねじ４４の先端部には挟み金具４５に対して回り止めがなされたナット４６が螺合する。挟み金具４５の基端部はカバー３２の上部に枢着され、先端部はフランジ３５との距離を変えることができるようになっている。また、挟み金具４５には復帰ばね４７が連結され、先端部がフランジ３５から離れる向きに付勢されている。
【００２０】
したがって、図１０に示すように、ハウジング３０を天井パネル等の取付パネル４８に穿孔した取付孔４９に取り付けるときには、引締めねじ４４を緩め、復帰ばね４７のばね力により挟み金具４５の先端部をフランジ３５から離した状態とする（すなわち、挟み金具４５の先端部間の距離を小さくする）。この状態で、取付孔４９にカバー３２および引締めねじ４４を挿入し、取付パネル４８の下面にフランジ３５を当接させる。次に、引締めねじ４４を締め付けると、挟み金具４５の先端部がフランジ３５に近付いて、フランジ３５と挟み金具４５との間で取付孔４９の周部を挟持することができるのである。以上のようにしてハウジング３０を取付パネル４８に固定した後、ボディ３３の下面を覆うように、化粧プレート４０を装着する。上述したように、受光素子１５ａおよび発光素子１５ｂは受光レンズ４２に臨んで配置されているからアドレス設定の際に化粧プレート４０を外す必要はない。ハウジング３０を上述のような形状に形成したことにより、天井パネル等の取付パネル４８への取着が容易になるのである。
【００２１】
ワイヤレススイッチ２０は、図１１、図１２に示すように、ワイヤレス信号を送出する赤外線発光ダイオードよりなる発光素子２１を備える。発光素子２１には押釦式の操作スイッチ２２を押操作したときに信号判断・出力回路２３により生成される制御信号が発光回路２４を通して入力され、制御信号に応じて点滅する。また、ワイヤレススイッチ２０では携帯するために電池を用いる電源回路２５を備える。
【００２２】
具体的には、図１２に示すように、発光素子２１には２個の発光ダイオードＬＥＤ１  ，ＬＥＤ２  を並列接続して用いており、発光回路２４には発光素子２１の点灯時に可視光を発する発光ダイオードＬＥＤ３  が設けられている。また、信号判断・出力回路２３は専用の集積回路２３ａに、ワイヤレス信号の形式を決めるためのフォーマットコードを設定するダイオードマトリクスよりなるコード設定部２３ｂ、電源投入時に集積回路２３ａをリセットするリセット回路２３ｃ、クロック信号を発生させる発振回路２３ｄを外付して構成されている。ここで、コード設定部２３ｂがワイヤレス受信器１０のコード設定部１２ｂと同じフォーマットコードに設定されているのはいうまでもない。
【００２３】
このような構成によって、操作スイッチ２２の押操作毎に所定形式のワイヤレス信号が発光素子２１を通して送出されるのである。ワイヤレス受信器１０ではフォーマットコード（すなわち、信号形式）が一致すれば、ワイヤレス送信器２０からのワイヤレス信号と認識し、伝送制御装置６１に対して操作データを送信するのである。
【００２４】
ワイヤレス送信器２０の器体５０は、図１３、図１４に示すようなものであって偏平な直方体状に形成されている。厚み方向の一面には操作スイッチ２２の操作部２２ａが露出し、また長手方向の一端部には発光素子２１を覆うようにワイヤレス信号となる近赤外線が通過可能な送信窓５１が設けられている。ここで、送信窓５１を通して送出されるワイヤレス信号の広がり範囲は比較的狭く設定されている。器体５０の長手方向の他端部には器体５０から突出する形で引掛部５２が形成され、引掛部５２には器体５０の厚み方向に貫通する通し孔５３が形成されている。この通し孔５３はワイヤレススイッチ２０の携帯時などにおいて紐などを通すために設けられている。
【００２５】
上記構成の遠隔監視制御システムで照明負荷Ｌを制御する場合には、図１に示すように、伝送制御装置６１に接続された２線式の信号線Ｌｓに対して、上記構成のワイヤレス受信器１０と制御用端末器６３とを複数台ずつ分岐接続する。制御用端末器６３はディップスイッチなどを用いてアドレスが設定されており、ワイヤレス受信器１０には設定装置を用いてアドレスが設定される。ここで、アドレスはチャンネル番号−負荷番号の組で表され、チャンネル番号−負荷番号の組の等しいワイヤレス受信器１０と制御用端末器６３とが対になるものとする。すなわち、ワイヤレス受信器１０がワイヤレススイッチ２０からのワイヤレス信号を受信すると、そのワイヤレス受信器１０と同じチャンネル番号−負荷番号の組がアドレスとして設定されている制御用端末器６３によって照明負荷Ｌが制御される。また、後述するが、チャンネル番号が等しく負荷番号が異なる複数個のワイヤレス受信器１０がワイヤレス信号を同時に受信した場合には、そのワイヤレス信号は無効になる。
【００２６】
いま、図１に示す２個の照明負荷Ｌを接続した各制御用端末器６３のうち左の制御用端末器６３のアドレスが（３−２）、右が（５−２）であるものとし、ワイヤレス受信器１０のアドレスについても左が（３−２）、右が（５−２）であるものとする。この場合、図１（ａ）のように左のワイヤレス受信器１０にのみワイヤレス信号を送れば左の照明負荷Ｌのみが点灯・消灯することになる。照明負荷Ｌが点灯するか消灯するかは、ワイヤレススイッチ２０からのワイヤレス信号の送出前の照明負荷Ｌの状態によるのであって、ワイヤレス信号の送信によって状態が反転する。また、図１（ｂ）のように右のワイヤレス受信器１０にのみワイヤレス信号を送れば右の照明負荷Ｌのみが点灯・消灯する。
【００２７】
図１の場合の動作説明から明らかなように、図２に示すように２個のワイヤレス受信器１０がワイヤレススイッチ２０からのワイヤレス信号を同時に受信できる程度に近接して配置されている場合には、２個のワイヤレス受信器１０がワイヤレス信号を同時に受信することによって、両照明負荷Ｌが同時に点灯・消灯することになる。つまり、アドレスが（３−２）である制御用端末器６３に接続された照明負荷Ｌ（左）がワイヤレス信号の送信前に点灯、アドレスが（５−２）である制御用端末器６３に接続された照明負荷Ｌ（右）がワイヤレス信号の送信前に消灯であったとすれば（図２（ａ）の状態）、ワイヤレス信号の送信によって点灯・消灯の状態が逆転し、図２（ｂ）のように左の照明負荷Ｌが消灯し右の照明負荷Ｌが点灯することになる。
【００２８】
また、上述したように、チャンネル番号が同じであって負荷番号が異なる場合には、同時に受けたワイヤレス信号は無効になる。たとえば、図３において制御用端末器６３およびワイヤレス受信器１０について左側のアドレスが（３−２）、右側が（３−３）であるとし、左の照明負荷Ｌは点灯、右の照明負荷Ｌは消灯であるとすると、図３（ａ）（ｂ）に示すように、ワイヤレススイッチ２０からのワイヤレス信号を２つのワイヤレス受信器１０に同時に受信させると、左の照明負荷Ｌの点灯状態、右の照明負荷Ｌの消灯状態は変化しないのである。各照明負荷Ｌを制御する場合には、各ワイヤレス受信器１０に個別にワイヤレス信号を受信させるようにワイヤレススイッチ２０の向きや距離を調節すればよい。
【００２９】
以上説明したように、ワイヤレス受信器１０を制御対象である照明負荷Ｌの近傍に配置することで、ワイヤレス受信器１０と照明負荷Ｌとの対応関係を容易に認識することができ、ワイヤレススイッチ２０では、所望の照明負荷Ｌの近傍のワイヤレス受信器１０に向かってワイヤレス信号を送出するだけで、所望の照明負荷Ｌを点灯・消灯させることができるのである。すなわち、制御すべき照明負荷Ｌをワイヤレススイッチ２０で指定する必要がなく、操作スイッチ２２の単なる押操作のみで点灯・消灯を反転させるから、１台のワイヤレススイッチ２０で任意の照明負荷Ｌを制御することができる。その結果、ワイヤレス中継端末器が不要になり、図４に示すように、ビル等において夜間に巡回する際には、ワイヤレススイッチ２０を持ち歩けば、壁スイッチを操作することなく照明負荷Ｌを点灯・消灯することができるのである。また、信号線Ｌｓを伝送される伝送信号の授受に必要なアドレスデータはワイヤレス受信器１０の内部で設定されているから、ワイヤレス信号にはアドレスデータが不要であり、ワイヤレス信号の信号形式が簡単になるという利点もある。
【００３０】
【発明の効果】
請求項１の発明は、ワイヤレス受信器は、外部信号によりアドレスが書換可能な不揮発性のメモリよりなるアドレス記憶部を備え伝送制御装置に接続された信号線に接続されるとともにワイヤレススイッチからの所定のワイヤレス信号を受信すると操作データを発生するものであり、ワイヤレススイッチは、操作スイッチの操作時にどのワイヤレス受信器にも受信させることができるフォーマットコードのワイヤレス信号を送出してワイヤレス受信器に操作データを発生させて負荷のオン・オフを反転させるものであって、チャンネル番号が等しく負荷番号が異なる複数個のワイヤレス受信器がワイヤレス信号を同時に受信した場合には、同時に受けたワイヤレス信号は無効にし、チャンネル番号が異なる複数個のワイヤレス受信器がワイヤレス信号を同時に受信した場合には、各ワイヤレス受信器と同じチャンネル番号−負荷番号の組がアドレスとして設定されている制御用端末器に接続された負荷のオン・オフをそれぞれ反転させるので、ワイヤレス受信器が伝送制御装置に対して信号線を介して接続され、従来構成では必要であったワイヤレス中継端末器が不要になるのであって、当然ながらワイヤレス信号線も不要になり、システムを構成する要素の種類が少なくなって施工が容易になるという利点がある。また、ワイヤレス受信器と負荷を制御する制御用端末器との間で個別に対応関係を設定することができるから、ワイヤレス受信器を負荷に近い場所に配置するなどすれば、所望の負荷のみを制御することができ、不必要な負荷を不用意に制御してしまうことがないという効果がある。しかも、ワイヤレススイッチにはアドレスがなく、どのワイヤレス受信器に対してもワイヤレス信号を受信させることができるから、１台のワイヤレススイッチで複数の負荷を制御することができるという効果がある。このことはビル警備の巡回中などに通過経路の照明負荷だけを点灯・消灯させるというような用途では非常に便利である。さらに、アドレスを設定する手段をワイヤレススイッチに設ける必要がないから、ワイヤレススイッチをそれだけ小形化することができ、この点でも持ち歩くには便利である。加えて、ワイヤレス受信器のアドレスを格納するアドレス記憶部には、外部信号によってアドレスが書換可能な不揮発性のメモリを用いているから、施工後のアドレスの設定や変更などを外部信号によって容易に行なうことができる。とくに、ワイヤレス受信器の受信領域を広く設定するためにワイヤレス受信器を天井に取り付ける場合でも、アドレスの設定や変更に際して高所作業が不要であり、安全に作業することができるのである。
【図面の簡単な説明】
【図１】実施例の使用形態を示す概略構成図である。
【図２】実施例の使用形態を示す概略構成図である。
【図３】実施例の使用形態を示す概略構成図である。
【図４】実施例の使用例を示す説明図である。
【図５】実施例に用いるワイヤレス受信器を示すブロック図である。
【図６】実施例に用いるワイヤレス受信器を示す具体回路図である。
【図７】実施例に用いるワイヤレス受信器を示す分解斜視図である。
【図８】実施例に用いるワイヤレス受信器を示す一部切欠側面図である。
【図９】実施例に用いるワイヤレス受信器を示す下面図である。
【図１０】実施例に用いるワイヤレス受信器の施工状態を示す断面図である。
【図１１】実施例に用いるワイヤレススイッチを示すブロック図である。
【図１２】実施例に用いるワイヤレススイッチを示す具体回路図である。
【図１３】実施例に用いるワイヤレススイッチを示す正面図である。
【図１４】実施例に用いるワイヤレススイッチを示す側面図である。
【図１５】従来例の使用形態を示す概略構成図である。
【図１６】遠隔監視制御システムで用いる伝送信号を示す図である。
【符号の説明】
１０  ワイヤレス受信器
１１  受光部
１２  信号判断・出力回路
１３  信号処理回路
１４  アドレス記憶部
１５  アドレス設定部
２０  ワイヤレススイッチ
２１  発光素子
２２  操作スイッチ
２３  信号判断・出力回路
２４  発光回路
３０  ハウジング
３５  フランジ
４２  受光レンズ
４４  引締めねじ
４５  挟み金具
４８  取付パネル
５０  器体
５１  送信窓
５３  通し孔
６１  伝送制御装置
６３  制御用端末器
Ｌｓ  信号線
【図１】
0003612093.tif 000002
【図２】
0003612093.tif 000003
【図３】
0003612093.tif 000004
【図４】
0003612093.tif 000005
【図５】
0003612093.tif 000006
【図６】
0003612093.tif 000007
【図７】
0003612093.tif 000008
【図８】
0003612093.tif 000009
【図９】
0003612093.tif 000010
【図１０】
0003612093.tif 000011
【図１１】
0003612093.tif 000012
【図１２】
0003612093.tif 000013
【図１３】
0003612093.tif 000014
【図１４】
0003612093.tif 000015
【図１５】
0003612093.tif 000016
【図１６】
0003612093.tif 000017